(57)【要約】【課題】携帯機器各々に音声合成手段を搭載せずに、また、回線を占有することなく、携帯機器でメールの内容を自動的に読み上げることを可能にすること。【解決手段】メールサーバ20にサーバシステム40が接続される。サーバシステム40は、音声合成エンジン41と蓄積サーバ42を有する。音声合成エンジン41は、メールサーバ20に着信したメールのコピーを音声ファイルに変換し、蓄積サーバ42に格納する。携帯機器10は、メール着信通知を受けると音声ファイル要求をサーバシステム40に送出して未ダウンロードの音声ファイルが蓄積サーバ42に存在することを確認し、ダウンロードする。さらに、携帯機器10は、ダウンロードした音声ファイルを自動的に読み上げる。【選択図】図１
2007233435.tif 000002
【特許請求の範囲】
【請求項１】
ネットワーク側に設けられたサーバと該サーバに接続可能な携帯機器を備え、
前記サーバは、
携帯機器宛の電子メールの着信を通知するメール着信通知手段と、
携帯機器宛の電子メールを音声ファイルに変換する音声合成手段と、
前記音声合成手段により変換された音声ファイルを格納する蓄積手段を有し、
前記携帯機器は、
前記メール着信通知手段による通知を受信したとき、自携帯機器宛の未ダウンロードの音声ファイルが前記蓄積手段に存在することを認識するとともに、該音声ファイルをパケット通信にてダウンロードする手段と、
ダウンロードした音声ファイルを自動的に読み上げる手段を有することを特徴とする電子メール読み上げシステム。
【請求項２】
携帯機器宛の電子メールの着信を通知するメール着信通知手段と、
携帯機器宛の電子メールを音声ファイルに変換する音声合成手段と、
前記音声合成手段により変換された音声ファイルを格納する蓄積手段と、
前記メール着信通知手段による通知を受信したときに携帯機器から送出されるダウンロード要求に従って該携帯機器が未ダウンロードの音声ファイルを前記蓄積手段から読み出して該携帯機器にパケット通信により送出する制御手段を備えたことを特徴とするサーバ。
【請求項３】
前記音声合成手段は、携帯機器から予め送出された音声ファイル蓄積要求に従って該携帯機器宛の電子メールを音声ファイルに変換することを特徴とする請求項２に記載のサーバ。
【請求項４】
前記サーバは、メールサーバあるいはメールサーバとは別のサーバであることを特徴とする請求項２または３に記載のサーバ。
【請求項５】
サーバからメール着信通知を受信したとき、自携帯機器宛の電子メールの未ダウンロードの音声ファイルがサーバに存在することを認識するとともに、該音声ファイルをパケット通信にてダウンロードする手段と、
ダウンロードした音声ファイルを自動的に読み上げる手段を備えたことを特徴とする携帯機器。
【請求項６】
さらに、自携帯機器宛の電子メールの音声ファイルの蓄積をサーバに要求する手段を備えたことを特徴とする請求項５に記載の携帯機器。
【請求項７】
携帯機器に搭載され、自携帯機器宛の電子メールの読み上げを実行させるコンピュータ・プログラムであって、
サーバからメール着信通知を受信したとき、自携帯機器が未ダウンロードの音声ファイルがサーバに存在することを認識するとともに、該音声ファイルをパケット通信にてダウンロードする機能と、
ダウンロードした音声ファイルを自動的に読み上げる機能を備えたことを特徴とする特徴とするコンピュータ・プログラム。
【請求項８】
さらに、自携帯機器宛の電子メールの音声ファイルの蓄積をサーバに要求する機能を備えたことを特徴とする特徴とする請求項７に記載のコンピュータ・プログラム。
【請求項９】
携帯機器で自携帯機器宛の電子メールの音声ファイルを自動的に読み上げる電子メール読み上げ方法であって、
サーバから携帯機器に電子メールの着信を通知するとともに、サーバ側で該電子メールを音声変換し、これにより生成した音声ファイルを蓄積し、
携帯機器が前記通知を受信したとき、携帯機器側で自携帯機器が未ダウンロードの音声ファイルが前記サーバに存在することを認識し、該音声ファイルをパケット通信にてダウンロードし、前記ダウンロードした音声ファイルを自動的に読み上げることを特徴とする電子メール読み上げ方法。
【発明の詳細な説明】
【技術分野】
【０００１】
本発明は、電子メール読み上げシステム、サーバ、携帯機器、コンピュータ・プログラムおよび電子メール読み上げ方法に関し、特に、受信される電子メールの文字情報などを携帯機器で自動的に読み上げることができる電子メール読み上げシステム、サーバ、携帯機器、コンピュータ・プログラムおよび電子メール読み上げ方法に関する。
【背景技術】
【０００２】
インターネットの普及に伴い、携帯電話やPDA(personal digital assistants)などの携帯機器を使用して情報伝達を行う電子メール(Eメール、以下、単にメールと称す)が一般的に利用されるようになった。メールでは、専ら文字情報、図形あるいは写真情報が送受信される。送信側機器から送信されるメールは、インターネットを介してメールサーバに転送され、メールボックスに一旦蓄積される。メールボックスに蓄積されたメールは、受信側機器に自動配信あるいは受信側機器からの要求に従って配信される。
【０００３】
特許文献１には、インターネットを通じて受信されるメールを公衆電話網の電話機で音声出力させるメールサーバ装置およびメール通話サービス提供方法が記載されている。
【０００４】
このメールサーバ装置は、メールを受信すると、まず、送信者の認証を行う。メールには、送信者に関する情報や送信先電話番号が含まれており、送信者の認証は、送信者に関する情報に基づいて行われる。メールサーバ装置は、送信者が正当なユーザであると認証すれば、メールの本文を音声データに変換して一時ファイルとして記憶する。その後、送信先電話番号の電話機への回線接続のスケジューリングを行い、送信先電話機と回線接続し、音声データをアナログ音声に変換して送出する。回線接続部が使用されている(ビジー状態にある)場合には、回線接続部がアイドル状態になるまで一時ファイルを保持し、音声データの送信を待機させる。
【特許文献１】特開２００２−２４７１０３号公報
【発明の開示】
【発明が解決しようとする課題】
【０００５】
特許文献１のメールサーバ装置およびメール通話サービス提供方法によれば、送信側機器と受信側機器が共にインターネットに接続されなければメールを送受信できないという問題が解決され、公衆電話網の電話機でメールサービスを受けることができる。
【０００６】
しかしながら、特許文献１のメールサーバ装置およびメール通話サービス提供方法は、インターネット網と公衆電話網を接続し、インターネット網におけるメールを音声情報にして公衆回線網の電話機に伝達するためのものであるので、公衆回線網の送信先電話機の電話番号などの情報を各メールのヘッダ部に記載する必要がある。
【０００７】
また、これでは、電話機でメールの音声情報を自動的に受信し、その読み上げを行う機能は実現されていない。また、メールサーバ装置から送信先電話機への音声情報は、公衆電話網の回線交換を使用して送信されるので、送信先電話機への音声情報の伝達に公衆回線網の回線が占有されてしまうという課題がある。
【０００８】
電話端末側で音声合成することによりメールのテキストを音声情報に変換することも考えられるが、このようにした場合には個々の電話端末に音声合成手段を搭載する必要がある。これでは価格や設置スペースの点から不利であり、また、豊富なリソースを利用した高度な音声合成手法の採用や機能拡張が困難である。
【０００９】
本発明の目的は、上記課題を解決し、携帯機器各々に音声合成手段を搭載せずに、また、回線を占有することなく、携帯機器でメールの内容を自動的に読み上げることができる電子メール読み上げシステム、サーバ、携帯機器、コンピュータ・プログラムおよび電子メール読み上げ方法を提供することにある。
【課題を解決するための手段】
【００１０】
上記課題を解決するために、本発明は、ネットワーク側に設けられたサーバと該サーバに接続可能な携帯機器を備え、前記サーバは、携帯機器宛の電子メールの着信を通知するメール着信通知手段と、携帯機器宛の電子メールを音声ファイルに変換する音声合成手段と、前記音声合成手段により変換された音声ファイルを格納する蓄積手段を有し、前記携帯機器は、前記メール着信通知手段による通知を受信したとき、自携帯機器が未ダウンロードの音声ファイルが前記蓄積手段に存在することを認識するとともに、該音声ファイルをパケット通信にてダウンロードする手段と、ダウンロードした音声ファイルを自動的に読み上げる手段を有することを特徴としている。
【００１１】
本発明は、電子メール読み上げシステムを構成するサーバや携帯機器自体、その機能を実現するコンピュータ・プログラム、あるいは電子メール読み上げ方法にも特徴があり、それらも発明となり得る。
【発明の効果】
【００１２】
本発明によれば、携帯機器においてメール読み上げのアプリケーションを予め起動しておくことで、携帯機器は、自携帯機器宛の電子メールの音声ファイルを自動的に受信し、読み上げる。従って、ユーザは、アプリケーションを予め起動しておけば、その後は一切操作することなくメールの内容を音声で知ることができる。
【００１３】
また、音声合成手段は、ネットワーク側のサーバだけに設ければよく、そこにはリソースが豊富な高度の音声合成手段を設置するのに十分なスペースを確保できる。これにより、個々の携帯機器に特別な音声合成手段を搭載する必要はなく、また、高品位のメールの読み上げ機能を実現できる。さらに、機能拡張にもネットワーク側を変更するだけで容易に対処できる。
【００１４】
また、携帯機器が自携帯機器宛の電子メールの音声ファイルの蓄積をサーバに要求するようにすることにより、サーバ側では要求される音声ファイルだけを生成し、蓄積すればよいので、サーバのリソースを有効に利用することができる。
【００１５】
さらに、音声ファイルのダウンロードをパケット通信により行い、公衆電話網の回線交換を使用しないので、携帯機器への音声情報の伝達に公衆回線網の回線が占有されずに済む。
【発明を実施するための最良の形態】
【００１６】
以下、図面を参照して本発明を説明する。図１は、本発明に係る電子メール読み上げシステムの第１実施形態を示すブロック図である。第１実施形態のシステムは、携帯電話やPDAなどの携帯機器10、メールサーバ20およびサーバシステム40を備える。
【００１７】
メールサーバ20は、インターネット30に接続され、携帯機器10はメールサーバ20を介してメールの送受信を行う。サーバシステム40はメールサーバ40に接続される。サーバシステム40は、音声合成エンジン41および蓄積サーバ42を備える。なお、携帯機器は多数存在するが、以下では、携帯機器10を説明の対象とする。
【００１８】
携帯機器10には、自携帯機器宛のメールを自動的に読み上げる機能(自動メール読み上げ機能)を実現するためのソフトウエア(コンピュータ・プログラム。以下、アプリケーションと称す)が搭載されている。
【００１９】
なお、図１では、携帯機器10とメールサーバ20やサーバシステム40の間の通信が直接的に行われるものとして図示されているが、実際上では、その通信はインターネット30やその他のネットワークを介して行われる。以下の説明でも同様である。
【００２０】
図２は、図１のシステムの動作を示すシーケンス図である。なお、携帯機器10には、自動メール読み上げ機能を実現するアプリケーションが予めインストールされており、メールサーバ20およびサーバシステム40は、それに対処可能となっている。
【００２１】
まず、携帯機器10において、通常動作の受信待ち状態から自動メール読み上げ機能のアプリケーションを起動する(S1)と、表示画面が暗証番号入力画面となる。ここで、ユーザが暗証番号を入力すると、入力された暗証番号は、携帯機器内部に保持されているユーザ固有情報ととともにサーバシステム40に送信される。
【００２２】
サーバシステム40は、携帯機器10から送信されてきた暗証番号およびユーザ固有番号を用いてユーザ認証を行う。このために、サーバシステム40内部あるいは別のサーバには予めユーザ情報が登録されている。
【００２３】
ユーザ認証によりユーザの正当性が判定されると、携帯機器10は、メールサーバ30に対し転送設定を要求する。この転送設定の要求に従ってメールサーバ30は転送設定を行う(S2)。メールサーバ20は、インターネット30から携帯機器10宛のメールの着信があると、携帯機器10にメール着信通知を行うが、上記の転送設定が行われていると、サーバシステム40に着信メールのコピーとともにメール変換要求も送出する。
【００２４】
メールサーバ20が上記のように転送設定されても、携帯機器10宛のメールの着信がなければ、携帯機器10は待機中のままである。待機中では適宜のファンクションボタンを操作して携帯機器を通常動作状態に戻したり(終了)、現在の設定状態を確認したり(確認)、他の状態に設定変更(設定)したりすることができる。
【００２５】
転送設定が行われた状態で、メールサーバ20に携帯機器10宛のメールの着信する(S3)と、メールサーバ20は、メール着信通知を携帯機器10に送出する(S4)。また、メールサーバ20は、サーバシステム40に受信メールのコピーを転送するとともにメール変換要求を送出する(S5)。
【００２６】
サーバシステム40の音声合成エンジン41は、メールサーバ20から転送されたメールを受信し、メール変換要求に従ってそのテキストを音声合成により音声ファイルに変換した後、蓄積サーバに転送する(S6)。音声合成エンジン41は、メールのテキストを元にアナログ音声を生成するものであればよく、いかなる音声合成手段も用いることができる。蓄積サーバ42は、音声合成エンジン41により変換された音声ファイルを宛先と共に各メールごとに格納する。
【００２７】
図３は、音声ファイル格納動作を概念的に示す説明図である。なお、ここでは、メールサーバ20を通して音声ファイルを蓄積サーバ42に格納している。例えばメールアドレス(xxx@yomail.ezweb.ne.jp)宛のメールがメールサーバ20に着信すると(S3)、メールサーバ20は、該メールを音声合成エンジン41に転送するとともにメール変換要求を送出する(S5)。
【００２８】
音声合成エンジン41は、メールサーバ20から送出されたメールを1つずつ(メール単位で)音声ファイルに変換し、変換された音声ファイル(変換ファイル)をメールサーバ20に転送する(S6)。このとき、音声ファイルを特定するファイル名(ファイルID)としてタイムスタンプを付す。
【００２９】
メールサーバ20は、音声合成エンジン41から転送された音声ファイルを蓄積サーバ42に格納する(S6)。蓄積サーバ42では、ユーザ情報から対象ユーザの音声ファイルを格納するディレクトリ(SubID)を参照し、保存ディレクトリに格納する。図３は、ファイルID(20060101000000),(20060101000500),(20060101001000)が付された3つの音声ファイルが格納された状態を表している。
【００３０】
上述のように、メールを常に1つずつ音声ファイルに変換し、音声ファイルのファイル名としてタイムスタンプを付すことにより、音声ファイルの順序性を確保し、2重配信を制限することができる。
【００３１】
図２に戻って、携帯機器10は、メールサーバ20からメール着信通知を受けると、サーバシステム40に音声ファイル要求を送出する(S7)。音声ファイル要求は、未ダウンロードの音声ファイルのダウンロードを要求するものである。そのため、音声ファイル要求には、携帯機器10が未ダウンロードである音声ファイルが分かるようにする情報を含む。
【００３２】
システムが正常であれば、携帯機器10は、着信があるたびに当該メールの音声ファイルをダウンロードするので、サーバシステム40に格納されている未ダウンロードの音声ファイルは新着メール1つだけであるが、システム障害や通信障害などが発生している場合、複数の未ダウンロードの音声ファイルがサーバシステム40に残る可能性がある。ここで、音声ファイル要求に、未ダウンロードである音声ファイルが分かるようにする情報を含ませたのは、そのような未ダウンロードの音声ファイルを重複することなくダウンロードできるようにするためである。また、携帯機器10は、メールサーバ20からのメール着信通知を契機として音声ファイル要求を送出するだけでなく、サーバシステム40に残っている未ダウンロードの音声ファイルを適宜ダウンロードできるようにするために、ユーザ操作で音声ファイル要求を送出し得るようにしておくのが好ましい。複数の未ダウンロードの音声ファイルを重複することなくダウンロードする動作は後で説明する。
【００３３】
携帯機器10からの音声ファイル要求に対して、サーバシステム40から未ダウンロードの音声ファイルの存在が応答される。携帯機器10は、サーバシステム40から未ダウンロードの音声ファイルを１つずつ順にパケット通信にてダウンロードする(S8)。さらに、携帯機器10は、ダウンロードした音声ファイルを自動的に読み上げる(S9)。つまり、アナログ音声の音声ファイルをそのままスピーカに送出して音声再生する。メールの読み上げに先立って通知音を送出することにより注意を促すようにしてもよい。サーバシステム40の蓄積サーバ42に格納されている未ダウンロードの音声ファイルの読み上げが完了、あるいは読み上げ途中で中止操作されれば、携帯機器10は再び待機中となる。
【００３４】
読み出された音声ファイルを蓄積サーバ42から削除するようにしたり、それを残しておいて一定期間経過した古い音声ファイルを削除するようにしたりすることができる。ただし、一度読み出された音声ファイルは、まだ読み出されていない音声ファイルと区別可能にしておく。一度読み出された音声ファイルでも、携帯機器10から適宜要求して再度読み出し可能にすることもできる。
【００３５】
なお、携帯機器10が音声ファイルを蓄積サーバ42から読み出すには、その前に該音声ファイルが蓄積サーバ42に格納されている必要がある。これは、未ダウンロードの音声ファイルの存在を確認するための音声ファイル要求の送出タイミングを適宜調整することなどで容易に実現できる。
【００３６】
図４は、携帯機器10へ未ダウンロードの音声ファイルをダウンロードする動作を示すフローチャートである。このフローチャートに従えば、未ダウンロードの音声ファイルが1つの場合はもちろん、それが複数の場合でも重複することなく1つずつダウンロードすることができる。
【００３７】
まず、携帯機器10は、メールサーバ20からメール着信通知を受けると、あるいはユーザの携帯機器10の操作により、サーバシステム40に音声ファイル要求(音声ファイルREQ)を送出し、未ダウンロードの音声ファイルのダウンロードを要求する(S41)。音声ファイル要求は、対象ユーザを表すSubIDと最後にダウンロードしたファイルのID(最終DL FileID)を含む。なお、最終DL FileIDは、携帯機器10が記憶している。
【００３８】
サーバシステム40では、音声ファイルREQに含まれる最終DL FileIDの音声ファイルより新しい音声ファイルがn(nは正の整数)個存在するか否かを判定する(S42)。S42で、新しい音声ファイルが存在しないと判定された場合、音声ファイルなし、残音声ファイル数(0)の応答(音声ファイルRES)を返す(S43)。携帯機器10は、この応答を受けると待機中に戻る(S44)。
【００３９】
S42で、新しい音声ファイルが存在すると判定された場合には、音声ファイルあり、残音声ファイル数(n-1)の応答(音声ファイルRES)を返す(S45)。なお、残音声ファイル数(n-1)は、今回のダウンロード後に残っている音声ファイル数を示す。携帯機器10は、この応答を受けると残音声ファイルのうちの1つ、例えば最も古い残音声ファイルを読み出し、ダウンロードして再生するとともに、自携帯機器10が記憶している最終DL FileIDを更新する。
【００４０】
次に、残音声ファイル数(n-1)が0か1以上かを判定する(S47)。S47で、残音声ファイル数(n-1)が1以上と判定された場合、S41に戻って同様の動作を繰り返し、0と判定された場合にはS48に進んで待機中に戻る。
【００４１】
上述のように、最終DL FileIDを携帯機器10に記憶させ、ダウンロードを要求する音声ファイルREQの中にこの最終DL FileIDを含ませることにより、サーバ側でのダウンロードに応じる音声ファイルの決定処理を簡素化することができる。
【００４２】
図５は、携帯機器10の動作イメージの具体例を示す図である。同図(a)は、現在日時表示の待ち受け画面、(b)は、アプリケーション起動後の暗証番号入力画面、(c)は、転送設定(ユーザ認証)中の表示画面、(d)は、転送設定後の待機中の表示画面、(e)は、未ダウンロードの音声ファイルの存在確認中および音声ファイルダウンロード中の表示画面、(f)は、メール読み上げ中の表示画面、(g)は、メール読み上げ完了後の待機中の表示画面をそれぞれ示している。
【００４３】
図６は、本発明の第２実施形態を示すブロック図である。第１の実施形態ではメールサーバ20とは別に音声合成エンジン41を含むサーバシステム40を設けたが、第２の実施形態は、メールサーバ30内にサーバシステムの機能を持たせたものである。なお、図４において、図１と同一あるいは同等部分には同じ符号を付している。
【００４４】
図６のシステムの動作を説明する。携帯機器10には、以下の動作を実行するアプリケーションが予めインストールされており、メールサーバ20は、それに対応可能となっている。
【００４５】
まず、携帯機器10において、通常動作の受信待ち状態から自動メール読み上げのアプリケーションを起動する(S1)と、その表示画面が暗証番号入力画面となる。ここで、ユーザが暗証番号を入力すると、入力された暗証番号は、携帯機器内部に保持されているユーザ固有情報ととともに音声変換命令としてメールサーバ20に送信される。暗証番号およびユーザ固有情報は、ユーザ認証に利用される。メールサーバ20は、携帯機器10から送信されてきた暗証番号およびユーザ固有番号を用いてユーザ認証を行う。このために、メールサーバ内部あるいは別サーバに予めユーザ情報が登録されている。
【００４６】
ユーザ認証によりユーザの正当性が判定されると、メールサーバ20内の音声合成エンジン41が動作状態に設定される(S2)。この設定状態では、携帯機器10宛の新着メールのコピーが音声合成エンジン41に与えられ、音声合成エンジン41は、これを音声合成してアナログ音声に変換し、蓄積サーバ42に音声ファイルとして格納する。
【００４７】
以上により音声合成エンジン41が動作状態になっても、インターネット30から携帯機器10宛のメールが受信されない状態では、携帯機器10は待機中となっている。
【００４８】
この待機中に、インターネット30から携帯機器10宛のメールがメールサーバ20に着信する(S3)と、メールサーバ20は、携帯機器10に該メールの着信通知を行う(S4)とともに、該メールをコピーして音声合成エンジン41に与える(S5)。
【００４９】
音声合成エンジン41は、これを音声合成してアナログ音声に変換し、蓄積サーバ42は、音声合成エンジン41からの音声ファイルを宛先と共に各メールごとに格納する(S6)。なお、蓄積サーバ42は、メールサーバ20が本来有する蓄積手段でもよく、メールサーバ30とは別個に設けた蓄積手段でもよい。
【００５０】
携帯機器10は、メールサーバ20からの着信通知を受けると、メール新着確認情報をメールサーバ20に送信し、自携帯機器宛の新着メールの音声ファイルが存在することを確認する(S7)。
【００５１】
ここで、新着メールの音声ファイルの存在を確認すれば、携帯機器10は、メールサーバ20の蓄積サーバ42から該音声ファイルを読み出し、パケット通信にてダウンロードする(S8)。この間、携帯機器10は再びメール確認中となる。
【００５２】
携帯機器10は、メールサーバ20から新着メールの音声ファイルをダウンロードすれば、その音声ファイルを自動的に読み上げる。つまり、アナログ音声の音声ファイルをそのままスピーカに送出して音声再生する。メールサーバ20の蓄積サーバ42に格納されている音声ファイルの読み上げが完了、あるいは読み上げ途中で中止操作されれば、携帯機器10は再び待機中となり、新たなメールの着信を待つ。
【００５３】
なお、新着メールの音声ファイルが蓄積サーバ42に格納されてから携帯機器10が該音声ファイルを読み出すように考慮することは、第１の実施形態と同様である。また、蓄積サーバ42に残っている未ダウンロードの音声ファイルを適宜ダウンロードできるようにするために、携帯機器10は、メールサーバ20からのメール着信通知を契機として音声ファイル要求を送出するだけでなく、ユーザ操作で音声ファイル要求を送出し得るようにしておくのが好ましいのも同様である。
【００５４】
以上の説明から明らかなように、本発明によれば、携帯機器においてメール読み上げのアプリケーションを予め起動しておくことで、携帯機器は、インターネットから受信されるメールの音声ファイルを自動的に受信し、読み上げる(音声出力する)ので、ユーザは、アプリケーションを予め起動しておけば、その後、何ら操作することなくメールの内容を音声で知ることができる。
【００５５】
また、音声合成エンジン41は、サーバシステム40あるいはメールサーバ20だけに設ければよく、そこにはリソースが豊富な高度の音声合成エンジン41を設置するのに十分なスペースを確保できる。これにより、個々の携帯機器に特別な音声合成システムを搭載することを不要にし、また、高品位のメールの読み上げ機能を実現でき、さらに、機能拡張にもサーバシステム40やメールサーバ20を変更するだけで容易に対処できる。
【００５６】
なお、読み上げるメールの内容には、メール本文以外でもメールから容易に抽出して音声変換できる部分、例えば、宛先や添付ファイル数などを含ませることもできる。
【００５７】
以上、実施形態について説明したが、本発明は、上記実施形態に限定されず、種々の変形が可能である。例えば、上記実施形態では、携帯機器10においてメール読み上げのアプリケーションが起動され、ユーザ認証されて初めて該当するメールの音声ファイルを生成し、蓄積するものとしたが、サーバのリソースが十分であれば、常にメールの音声ファイルを作成し、蓄積させることができる。この場合でも、メール読み上げのアプリケーションが起動されている期間中に着信したメールの音声ファイルだけがダウンロードされる。
【００５８】
以下に、本発明の適用例を示す。図７は、本発明をキッチンでの利用に適用した場合の概念図である。まず、料理前に携帯機器の本アプリケーションを起動し、新着メールの読み上げを可能な状態に設定しておく(A)。ここで、新着メールがあれば、ユーザが一切操作することなく該メールの内容が自動的に読み上げられる(B)。料理終了後、本アプリケーションを終了させれば、携帯機器は通常動作状態に戻る(C)。
【００５９】
図８は、本発明を自動車内での利用に適用した場合の概念図である。まず、自動車運転前に携帯機器の本アプリケーションを起動し、新着メールの読み上げを可能な状態に設定しておく(A)。ここで、新着メールがあれば、ユーザが一切操作することなく該メールの内容が自動的に読み上げられる(B)。運転後に本アプリケーションを終了させれば、携帯機器は通常動作状態に戻る(C)。なお、この場合、図３に示すように、運転中に携帯機器の操作を行わないように注意文を表示する。
【図面の簡単な説明】
【００６０】
【図１】本発明の第１実施形態を示すブロック図である。
【図２】図１のシステムの動作を示すシーケンス図である。
【図３】音声ファイル格納動作を概念的に示す説明図である。
【図４】音声ファイルダウンロードの動作を示すフローチャートである。
【図５】携帯機器側の動作イメージの具体例を示す図である。
【図６】本発明の第２実施形態を示すブロック図である。
【図７】本発明をキッチンでの利用に適用した場合の概念図である。
【図８】本発明を自動車内での利用に適用した場合の概念図である。
【符号の説明】
【００６１】
10・・・携帯機器、20・・・メールサーバ、30・・・インターネット、40・・・サーバシステム、41・・・音声合成エンジン、42・・・蓄積サーバ
【図１】
2007233435.tif 000003
【図２】
2007233435.tif 000004
【図３】
2007233435.tif 000005
【図４】
2007233435.tif 000006
【図５】
2007233435.tif 000007
【図６】
2007233435.tif 000008
【図７】
2007233435.tif 000009
【図８】
2007233435.tif 000010